(57)【要約】【課題】従来、手作業の寄せ集めである工場内物流費の予算作成を、システム化し、できるだけシンプルな工程によって、短期間に、かつ、精度の高いものとする方法とシステムを提供すること。【解決手段】（１）来期の予算生産量、予算販売量等を入力して、工場内物流予算の前提データを作成し、（２）プラント内各作業、プラント外各作業について、費用の特性に応じて、前年同期の費用実績値に予実算比率もしくは一定値を乗ずる等の算出式により、予算値の自動作成を行い、（３）自動作成予算値を必要により適正値に修正入力することにより、製品毎、作業区分毎に月次で、来期のプラント内、プラント外の各作業費用の予算値を確定する。【選択図】  なし【特許請求の範囲】
【請求項１】
工場内物流予算を、製品毎、作業区分毎に月次で半期の予算を作成する予算作成システムであって、
構内運賃実績、構内運賃単価マスター、生産／販売実績、営業倉庫実績など、工場内物流費に関する実績、単価等についてのデータファイルを備え、
（１）製品毎、作業区分毎に月次で、来期の予算生産量、予算販売量を入力して作成した、来期の需給バランス表および在庫振分表を格納した、工場内物流予算の前提データの記憶手段；（２）プラント内各作業について、費用の特性に応じて、来期の予想工数の入力値に当該各作業の単価を乗ずるか、あるいは、前年同期実績値に一定値を乗じることにより、来期のプラント内各作業費用の予算値を算出する演算手段；（３）プラント外各作業について、費用の特性に応じて、前記来期の需給バランス表および在庫振分表からの来期予算生産量、来期予算販売量および来期営業倉庫予算数量とそれぞれの前年同期実績数量とから導かれる予実算比率を前年同期実績値に乗ずるか、あるいは、前年同期実績値に一定値を乗じることにより、来期のプラント外各作業費用の予算値を算出する演算手段；（４）これら来期のプラント内およびプラント外各作業費用の算出予算値を、構内運賃実績データファイルから読み出した前年同期実績値と併せて表示し、前記来期の各作業費用の算出予算値を、前年同期実績値を参照しつつ、必要により適正値に修正入力することによって、来期のプラント内およびプラント外各作業費用の予算値を確定する手段；とを備えたことを特徴とする、製品毎、作業区分毎に月次で半期の予算を作成する工場内物流予算作成システム。
【請求項２】
工場内物流予算を、製品毎、作業区分毎に月次で半期の予算を作成する予算作成方法であって、
（１）製品毎、作業区分毎に月次で、来期の予算生産量、予算販売量を入力して、来期の需給バランス表および在庫振分表を作成する、工場内物流予算の前提データを作成するステップ；（２）プラント内各作業について、費用の特性に応じて、来期の予想工数の入力値に当該各作業の単価を乗ずるか、あるいは、前年同期実績値に一定値を乗じることにより、来期のプラント内各作業費用の予算値を算出するステップ；（３）プラント外各作業について、費用の特性に応じて、前記来期の需給バランス表および在庫振分表からの来期予算生産量、来期予算販売量および来期営業倉庫予算数量とそれぞれの前年同期実績数量とから導かれる予実算比率を前年同期実績値に乗ずるか、あるいは、前年同期実績値に一定値を乗じることにより、来期のプラント外各作業費用の予算値を算出するステップ；（４）これらプラント内およびプラント外各作業費用の算出予算値を、構内運賃実績データファイルから読み出した前年同期実績値と併せて表示し、前記各作業費用の算出予算値を、前年同期実績値を参照しつつ、必要により適正値に修正入力することによって、来期のプラント内およびプラント外各作業費用の予算値を確定するステップ；を含むことを特徴とする、製品毎、作業区分毎に月次で半期の予算を作成する工場内物流予算の作成方法。
【発明の詳細な説明】
【０００１】
【発明の属する技術分野】
本発明は、各種工業の生産工場における工場内物流費（構内運賃とも呼ぶ）の予算を作成する方法とシステムに関する。
【０００２】
【従来の技術】
たとえば化学工業の工場では、製造設備で製品を生産し、これを倉庫に保管し、需要家に向けて発送する。ここで、工場内での製品の物流作業という観点からは、製造プラント外では、製品の倉庫への運搬・保管、需要家への発送等の荷役作業、通いコンテナの洗浄・管理などの物流作業があり、製造プラント内でも原材料の運搬、製品の荷造りなどの物流作業がある。大きな工場では、製品の生産まではその企業が行うが、それ以降の製品の物流作業、また原材料の運搬作業等は協力会社に依頼するという形態をとることが少なくない。
かかる工場内物流についても予実算管理が行われるべきであるが、協力会社に依頼する形態をとる場合には、とくに精度ある予実算管理を行う必要性が高い。しかしながら、工場内物流は、細かい作業が多く、また、その予実算管理は製品グレード毎に行われる必要があるため、予算作成の作業は、細かく、煩雑なものとなり、企業本体、協力会社の多くの関連部署の手作業の寄せ集めで行われているのが現状である。
ところが、そのような手作業の寄せ集めのために、予算作成の所要日数が多く、かつ、その精度もよくはなかった。
【０００３】
【発明が解決しようとする課題】
上記のような現状に鑑み、本発明は、手作業の寄せ集めをシステム化し、できるだけシンプルな工程にし、コンピュータ処理を行うことによって、短期間に、かつ、できるだけ精度の高い工場内物流費の予算作成の方法とシステムを提供することを目的とする。
【０００４】
【課題を解決するための手段】
上記の課題を解決するために、第一の発明は、工場内物流予算を、製品毎、作業区分毎に月次で半期の予算を作成する予算作成システムであって、
構内運賃実績、構内運賃単価マスター、生産／販売実績、営業倉庫実績など、工場内物流費に関する実績、単価等についてのデータファイルを備え、
（１）製品毎、作業区分毎に月次で、来期の予算生産量、予算販売量を入力して作成した、来期の需給バランス表および在庫振分表を格納した、工場内物流予算の前提データの記憶手段；（２）プラント内各作業について、費用の特性に応じて、来期の予想工数の入力値に当該各作業の単価を乗ずるか、あるいは、前年同期実績値に一定値を乗じることにより、来期のプラント内各作業費用の予算値を算出する演算手段；（３）プラント外各作業について、費用の特性に応じて、前記来期の需給バランス表および在庫振分表からの来期予算生産量、来期予算販売量および来期営業倉庫予算数量とそれぞれの前年同期実績数量とから導かれる予実算比率を前年同期実績値に乗ずるか、あるいは、前年同期実績値に一定値を乗じることにより、来期のプラント外各作業費用の予算値を算出する演算手段；（４）これら来期のプラント内およびプラント外各作業費用の算出予算値を、構内運賃実績データファイルから読み出した前年同期実績値と併せて表示し、前記来期の各作業費用の算出予算値を、前年同期実績値を参照しつつ、必要により適正値に修正入力することによって、来期のプラント内およびプラント外各作業費用の予算値を確定する手段；とを備えたことを特徴とする。
【０００５】
また第二の発明は、工場内物流予算を、製品毎、作業区分毎に月次で半期の予算を作成する予算作成方法であって、
（１）製品毎、作業区分毎に月次で、来期の予算生産量、予算販売量を入力して、来期の需給バランス表および在庫振分表を作成する、工場内物流予算の前提データを作成するステップ；（２）プラント内各作業について、費用の特性に応じて、来期の予想工数の入力値に当該各作業の単価を乗ずるか、あるいは、前年同期実績値に一定値を乗じることにより、来期のプラント内各作業費用の予算値を算出するステップ；（３）プラント外各作業について、費用の特性に応じて、前記来期の需給バランス表および在庫振分表からの来期予算生産量、来期予算販売量および来期営業倉庫予算数量とそれぞれの前年同期実績数量とから導かれる予実算比率を前年同期実績値に乗ずるか、あるいは、前年同期実績値に一定値を乗じることにより、来期のプラント外各作業費用の予算値を算出するステップ；（４）これら来期のプラント内およびプラント外各作業費用の算出予算値を、構内運賃実績データファイルから読み出した前年同期実績値と併せて表示し、前記来期の各作業費用の算出予算値を、前年同期実績値を参照しつつ、必要により適正値に修正入力することによって、来期のプラント内およびプラント外各作業費用の予算値を確定するステップ；を含むことを特徴とする。
【０００６】
本発明の工場内物流費の予算作成システムの発明は、主として次の点を要点としてなされたものである。
（１）従来、協力会社等が、実績データ、予算データを集め、多くの作表の中から必要な数値を選び出して入力していたのを、実績関係等のデータファイルをつくり、また、予算関係の基本データを、企業本体の各主担当部署がそれぞれ入力する（生産・販売・在庫データは経理グループ、プラント別必要作業人員等は製造グループ、倉庫別在庫振分けは物流グループ）。これにより工場内物流予算の前提データを正確に作成する。（２）各費用の特性に応じた自動計算ロジックを確定し、殆どの費用の予算値が自動計算できるようにする。すなわち、前年同期の費用実績値に、生産・販売等の予実算比率、あるいは、一定値を乗じることにより、当該費用の予算値を自動作成する。（３）自動作成された予算値を表示して、その表示値を、前年同期の費用実績値を参照しつつ、必要により適正値に修正入力することにより、来期の各作業費用の予算値を確定する。
このシステム化、コンピュータ作業化の結果、予算作成の工数削減、精度の向上、所要日数の短縮が図れる。
【０００７】
【発明の実施の形態】
以下、本発明の実施形態を、図１を参照しながら説明する。
【０００８】
図１は本発明の実施例の構成を示す機能的ブロック図である。予算作成システム表示画面１は、データファイル２および予算前提データ作成機能部３、予算値自動作成機能部４、修正値入力端末５、出力端末６とつながっており、予算前提データ作成機能部３には基本データ入力端末７がついている。
【０００９】
データファイル２は、構内運賃実績データファイル、生産／販売実績データファイル、営業倉庫予算データファイル、営業倉庫実績データファイル、単価マスターデータファイルを有している。
【００１０】
予算前提データ作成機能部３に、基本データ入力端末７から製品毎、作業区分毎に月次で、来期の予算生産量、予算販売量を入力して、来期の需給バランス表および在庫振分表を作成する。
【００１１】
次に、プラント内、プラント外各作業についての前年同期の費用実績値を構内運賃実績データファイルから読み出して表示し、かつ、以下のようにして予算値自動作成機能部４で自動計算された自動作成予算値が前記前年同期の費用実績値に並べて表示される。
【００１２】
ここで、予算値自動作成機能部４は各費用の自動計算ロジックを有しており、データファイル２から前年同期の費用実績値あるいは単価などを呼び出し、予算前提データ作成機能部３から来期の需給バランス表、在庫振分表、工数等の予想入力値、その他予算数量入力値などを呼び出して、各費用の予算値を自動計算する。
【００１３】
プラント内各作業について、自動計算ロジックは、各費用の特性に応じて、来期の予想工数の入力値に単価マスターデータファイルから読み出した当該各作業の単価を乗ずるか、あるいは、前年同期の費用実績値に一定値を乗じることにより、来期の各作業費用の予算値を算出するようになっている。
すなわち、プラント内作業において、要員費用、車両費用などの定額制費用は単価に人数、台数乗ずる算出式であり、時間外・外注費用等の仮払い費用などは前年同期実績の平均金額を出す算出式である。
【００１４】
プラント外各作業について、自動計算ロジックは、各費用の特性に応じて、前記来期の需給バランス表および在庫振分表からの来期予算生産量、来期予算販売量および来期営業倉庫予算数量とそれぞれ対応する前年同期の実績数量とから導かれる予実算比率を前年同期実績値に乗ずるか、あるいは、前年同期の実績値に一定値を乗じることにより、来期のプラント外各作業費用を算出するようになっている。
すなわち、プラント外作業において、横持・荷役料等、（通いコンテナの）洗浄費用等、倉庫保管料等は、前年同期の実績値に、生産量、販売量、在庫量の予実算比率をそれぞれ乗ずる算出式であり、包材補修費用、運搬費等は、前年同期の実績値の平均値を出す算出式である。
【００１５】
以上のようにして、予算作成システム表示画面１には、自動作成予算値が前年同期実績値に並べて表示されることとなる。
【００１６】
この自動作成予算値を、各種情報を有する物流担当者等が、前年同期の実績値等を参照しつつ、その妥当性を検討し、妥当であればそのまま、必要があれば適正値に修正入力することにより、来期の製品毎、作業区分毎、月次のプラント内、プラント外の各作業費用の予算値を確定する。
【００１７】
このようにして確定されたプラント内、プラント外の各作業費用の予算値は、出力端末により、印刷等をすることができ、また、社内必要部署、協力会社等にデータ送信することができる。
【００１８】
【発明の効果】
以上説明したように、本発明の予算作成システムでは、従来、協力会社等多くの部門の手作業の寄せ集めでやっていた工場内物流費の予算作成作業を、システム化し、できるだけシンプルな工程にし、コンピュータ処理を行うことによって、短期間に、かつ、精度の高い工場内物流費の予算作成ができる方法とシステムを提供することが可能である。
【図面の簡単な説明】
【図１】本発明の工場内物流費予算作成システムの実施例を示す機能ブロック図である。
【符号の説明】
１  予算作成システム表示画面
２  データファイル
３  予算前提データ作成機能部
４  予算値自動作成機能部
５  修正値入力端末
６  出力端末
７  基本データ入力端末
【図１】
2004318418.tif 000002